(57)【要約】【課題】複数の商品の多岐にわたる組み合わせによるキャンペーン応募に際し、消費者の手間を軽減し、また、個々の商品の購買証明を取得可能とする。【解決手段】画像読み取り部２は、商品に添付されているＩＤ画像を読み取る。変換処理部４は、画像読み取り部２により読み取られたＩＤ画像を文字データに変換する。リンク処理部６は、ＩＤ画像から変換された文字データと、過去に読み取られ、記憶部８に記憶されている文字データとを、各ＩＤ画像に埋め込まれている、結合すべきＩＤ画像の組み合わせを示す結合パターンに従って結合可能か否かを判別する。合成処理部７は、結合可能と判別された文字データ同士を結合する。無線通信部１０は、結合された文字データに従って、無線通信によって基地局を介して、インターネット上のＷＥＢページにアクセスする。【選択図】図４
2007272552.tif 000002
【特許請求の範囲】
【請求項１】
２次元コード化された情報を読み取る携帯端末であって、
複数の２次元コードを読み取る読取手段と、
前記読取手段によって順次読み取られる２次元コードの各々を文字情報に変換する変換手段と、
前記変換手段によって順次変換される複数の文字情報を、所定の結合パターンに規定されている２次元コードの組み合わせに基づいて結合する結合手段と
を具備することを特徴とする携帯端末。
【請求項２】
前記結合手段によって結合された文字情報に基づいて、ネットワーク上のサーバにアクセスする通信手段を具備することを特徴とする請求項１記載の携帯端末。
【請求項３】
前記変換手段によって変換された文字情報を記憶する文字情報記憶手段を具備することを特徴とする請求項１または２に記載の携帯端末。
【請求項４】
前記結合手段は、前記２次元コードの各々に埋め込まれている結合パターンに基づいて、複数の２次元コードの各々から変換された複数の文字情報を結合することを特徴とする請求項１ないし３のいずれかに記載の携帯端末。
【請求項５】
前記結合パターンを記憶する結合パターン記憶手段を具備し、
前記結合手段は、前記結合パターン記憶手段に記憶されている結合パターンに基づいて、複数の２次元コードの各々から変換された複数の文字情報を結合することを特徴とする請求項項１ないし３のいずれかに記載の携帯端末。
【請求項６】
ネットワーク上のサーバ装置であって、
前記ネットワークを介して携帯端末から送信されてくる複数の２次元コードの各々から得られた複数の文字情報を受信する受信手段と、
前記受信手段によって受信した複数の文字情報を、所定の結合パターンに規定されている２次元コードの組み合わせに基づいて結合する結合手段と
を具備することを特徴とするサーバ装置。
【請求項７】
前記結合手段によって結合した文字情報を前記携帯端末に送信する送信手段を具備することを特徴とする請求項６記載のサーバ装置。
【請求項８】
コンピュータに、
複数の２次元コードを順次読み取るステップと、
前記順次読み取られる２次元コードの各々を文字情報に変換するステップと、
前記変換された複数の文字情報を、所定の結合パターンに規定されている２次元コードの組み合わせに基づいて結合するステップと
を実現することを特徴とする２次元コード読み取りプログラム。
【発明の詳細な説明】
【技術分野】
【０００１】
本発明は、携帯端末、サーバ装置および２次元コード読み取りプログラムに関する。
【背景技術】
【０００２】
従来、複数のブランドにまたがった商品の購入が必要なキャンペーンなどを実施する場合、例えば、「シールを１０種類集めて応募」、「バーコードを１０種類、１０枚貼り付けて葉書で応募」、「指定されたＩＤを１０個、ＷＥＢ上にて１回ずつ登録」などの方法が一般的である。
【０００３】
例えば、あるブランドのシャンプー、リンス、洗顔料の全ての商品を購入して、購入したそれぞれの商品に添付されているバーコードを葉書に貼って一口応募したり、あるブランドの商品を購入する度に商品に添付されたＩＤ番号をＷＥＢページで登録したりするなどして応募する。しかしながら、このような方法では、１回毎の登録に通信が必要であるので手間がかかり、また、購入していない商品のバーコード番号が記載されて不正な登録が行われるなどの問題があった。
【０００４】
そこで、商品にＩＤ画像（２次元コード）を添付し、携帯電話１などの携帯端末によりＩＤ画像を撮影し、ＩＤ画像から得られる文字データから、所定のＷＥＢページへのアクセスを可能にしたりする仕組みが考えられる（例えば、特許文献１参照）。
【特許文献１】特開２００６−０４８４２８号公報
【発明の開示】
【発明が解決しようとする課題】
【０００５】
しかしながら、上述した従来技術では、複数のＩＤ画像の各々から得られる文字データを結合して、１つの情報、例えば、ＷＥＢページのアクセスアドレスを生成することしかできない。このため、前述したような複数の異なる商品に対するキャンペーン応募などでは、単純な商品構成では効果的であるが、様々な商品の組み合わせに応じて消費者に異なる情報を提示するができない。
【０００６】
例えば、商品Ａと、商品Ｂまたは商品Ｃのいずれか１つと、商品Ｄとの組み合わせにおいて、Ａ＋Ｂ＋Ｄの場合には、ＷＥＢページＡＢＤにアクセスさせ、Ａ＋Ｃ＋Ｄの場合には、ＷＥＢページＡＣＤにアクセスさせようとした場合、従来技術では、Ａ＋Ｂ＋Ｄに対応するＩＤ画像Ａ、Ｂ、Ｄを作成する一方、他の組み合わせである、Ａ＋Ｃ＋Ｄに対応するＩＤ画像Ａ’、Ｃ、Ｄ’も作成しなければならない。
【０００７】
この結果、１つの商品、例えば、商品ＡにはＩＤ画像ＡとＩＤ画像Ａ’を添付し、商品ＤにはＩＤ画像ＤとＩＤ画像Ｄ’を添付しなければならなくなり、商品の組み合わせが複数になると、対応することができなくなる。また、同様の理由により、従来技術では、実際に個々の商品を購入したことを証明する購買証明を得ることができないという問題があった。
【０００８】
本発明は、このような事情を考慮してなされたものであり、その目的は、複数の商品の多岐にわたる組み合わせによるキャンペーン応募に際し、消費者の手間を軽減することができ、また、個々の商品の購買証明を得ることができる携帯端末、サーバ装置および２次元コード読み取りプログラムを提供することにある。
【課題を解決するための手段】
【０００９】
上述した課題を解決するために、本発明は、２次元コード化された情報を読み取る携帯端末であって、複数の２次元コードを順次読み取る読取手段と、前記読取手段によって順次読み取られる２次元コードの各々を文字情報に変換する変換手段と、前記変換手段によって順次変換される複数の文字情報を、所定の結合パターンに規定されている２次元コードの組み合わせに基づいて結合する結合手段とを具備することを特徴とする。
【００１０】
本発明は、上記の発明において、前記結合手段によって結合された文字情報に基づいて、ネットワーク上のサーバにアクセスする通信手段を具備することを特徴とする。
【００１１】
本発明は、上記の発明において、前記変換手段によって変換された文字情報を記憶する文字情報記憶手段を具備することを特徴とする。
【００１２】
本発明は、上記の発明において、前記結合手段は、前記２次元コードの各々に埋め込まれている結合パターンに基づいて、複数の２次元コードの各々から変換された複数の文字情報を結合することを特徴とする。
【００１３】
本発明は、上記の発明において、前記結合パターンを記憶する結合パターン記憶手段を具備し、前記結合手段は、前記結合パターン記憶手段に記憶されている結合パターンに基づいて、複数の２次元コードの各々から変換された複数の文字情報を結合することを特徴とする。
【００１４】
また、上述した課題を解決するために、本発明は、ネットワーク上のサーバ装置であって、前記ネットワークを介して携帯端末から送信されてくる複数の２次元コードの各々から得られた複数の文字情報を受信する受信手段と、前記受信手段によって受信した複数の文字情報を、所定の結合パターンに規定されている２次元コードの組み合わせに基づいて結合する結合手段とを具備することを特徴とする。
【００１５】
本発明は、上記の発明において、前記結合手段によって結合した文字情報を前記携帯端末に送信する送信手段を具備することを特徴とする。
【００１６】
また、上述した課題を解決するために、本発明は、コンピュータに、複数の２次元コードを順次読み取るステップと、前記順次読み取られる２次元コードの各々を文字情報に変換するステップと、前記変換された複数の文字情報を、所定の結合パターンに規定されている２次元コードの組み合わせに基づいて結合するステップとを実現することを特徴とする。
【発明の効果】
【００１７】
この発明によれば、読取手段によって、複数の２次元コードを順次読み取り、変換手段によって、順次読み取られる２次元コードの各々を文字情報に変換し、結合手段によって、順次変換される複数の文字情報を、所定の結合パターンに規定されている２次元コードの組み合わせに基づいて結合する。したがって、複数の２次元コードを一括して読み取ることで、複数の多岐にわたる組み合わせにも対応することができ、ユーザの手間を軽減することができ、また、個々の商品の購買証明を得ることができるという利点が得られる。
【００１８】
また、本発明によれば、通信手段によって、結合された文字情報に基づいて、ネットワーク上のサーバにアクセスする。したがって、一括して読み取った複数の２次元コードから得られる文字情報でサーバにアクセスすることで、複数の多岐にわたる組み合わせに応じて、異なるサイトにアクセスさせることができ、提示可能な情報の種類を増やすことができるという利点が得られる。また、サイト毎に携帯端末のユーザの動向を調査することができ、また、個々の商品の購買証明を得ることができるという利点が得られる。
【００１９】
また、本発明によれば、変換手段によって変換された文字情報を文字情報記憶手段に順次記憶する。したがって、２次元コードの読み取りにタイムラグがあっても、その都度、読み取りを再開することができ、携帯端末のユーザの利便性を向上させることができるという利点が得られる。
【００２０】
また、本発明によれば、結合手段によって、２次元コードの各々に埋め込まれている結合パターンに基づいて、複数の２次元コードの各々から変換された複数の文字情報を結合する。したがって、複数の多岐にわたる組み合わせにも対応することができるという利点が得られる。
【００２１】
また、本発明によれば、結合パターンを結合パターン記憶手段に記憶しておき、結合手段によって、記憶されている結合パターンに基づいて、複数の２次元コードの各々から変換された複数の文字情報を結合する。したがって、複数の多岐にわたる組み合わせにも対応することができるという利点が得られる。また、結合パターンに変更があった場合でも、結合パターン記憶手段の結合パターンを変えればよく、柔軟に対応することができるという利点が得られる。
【００２２】
また、この発明によれば、受信手段によって、ネットワークを介して携帯端末から送信されてくる複数の２次元コードの各々から得られた複数の文字情報を受信し、結合手段によって、受信した複数の文字情報を、所定の結合パターンに規定されている２次元コードの組み合わせに基づいて結合する。したがって、複数の２次元コードをサーバ装置側で一括して結合することで、複数の多岐にわたる組み合わせにも対応することができ、ユーザの手間を軽減することができ、また、個々の商品の購買証明を得ることができるという利点が得られる。
【００２３】
また、本発明によれば、送信手段によって、結合した文字情報を携帯端末に送信する。したがって、携帯端末側では、結合された文字情報を受信すればよく、負担を軽減することができるという利点が得られる。
【００２４】
また、この発明によれば、コンピュータに、複数の２次元コードを順次読み取るステップと、前記順次読み取られる２次元コードの各々を文字情報に変換するステップと、前記変換された複数の文字情報を、所定の結合パターンに規定されている２次元コードの組み合わせに基づいて結合するステップとを実現する。したがって、複数の２次元コードを一括して読み取ることで、複数の多岐にわたる組み合わせにも対応することができ、ユーザの手間を軽減することができ、また、個々の商品の購買証明を得ることができるという利点が得られる。
【発明を実施するための最良の形態】
【００２５】
以下、本発明の一実施形態を、図面を参照して説明する。
【００２６】
Ａ．本発明の原理
まず、本発明の原理について説明する。
図１は、本発明によるＩＤ画像の構成例を示す概念図である。図示の例では、ＩＤ画像Ａ、Ｂ、Ｃ、Ｄ、Ｅを用いている。ＩＤ画像Ａには、情報として、「ｈｔｔｐ：／／ｗｗｗ．ａａ．ｊｐ／」という文字データが２次元化されて挿入されており、この情報種別は、サーバ情報である。また、ＩＤ画像Ｂには、情報として、「ｃａｍｐａｉｇｎ」という文字データが２次元化されて挿入されており、この情報種別は、サイトのアドレスの一部であるサイト情報である。
【００２７】
また、ＩＤ画像Ｃには、情報として、「Ｔｒａｃｅ」という文字列が挿入されており、この情報種別は、サイトのアドレスの一部であるサイト情報である。また、ＩＤ画像Ｄには、情報として、「１２３４５６７８９１２３４５６７８９」という文字データが挿入されており、この情報種別は、商品を識別するためのシリアルナンバである。同様に、ＩＤ画像Ｅには、情報として、「９８７６５４３２１９８７６５４３２１」という文字データが挿入されており、この情報種別は、商品を識別するためのシリアルナンバである。
【００２８】
次に、図２は、上記ＩＤ画像に埋め込まれた情報の結合の組み合わせを示す概念図である。ＩＤ画像Ａは、ＩＤ画像Ｂ、Ｃに結合可能であることを示している。同様に、ＩＤ画像Ｂは、ＩＤ画像ＤとＩＤ画像Ｅ、ＩＤ画像Ｃは、ＩＤ画像ＤとＩＤ画像Ｅと結合可能であることを示している。したがって、ＩＤ画像Ａ〜Ｅによる結合の組み合わせは、Ａ＋Ｂ＋Ｄ、Ａ+Ｂ＋Ｅ、Ａ＋Ｃ＋Ｄ、Ａ＋Ｃ＋Ｅの４通り存在する。以下、該結合の組み合わせを上述した結合パターンという。なお、上記結合パターンは、結合の順序のみを規定するものであって、読み取るＩＤ画像の順番を規定していない。例えば、結合パターン（Ａ＋Ｂ＋Ｄ）の場合、ＩＤ画像を読み取る順番は、Ａ→Ｂ→Ｄとは限らず、Ｂ→Ｄ→Ａでも、Ｄ→Ｂ→Ａであってもよい。
【００２９】
次に、図３は、上記結合パターン毎に得られる文字データとその文字データに従って実行される動作とを示す概念図である。図示するように、結合パターン（Ａ＋Ｂ＋Ｄ）では、結合結果「ｈｔｔｐ：／／ｗｗｗ．ａａ．ｊｐ／ｃａｍｐａｉｇｎ／ｃｐｐ．ＸＸ？ｓ＝１２３４５６７８９１２３４５６７８９」が得られ、該文字データに従ってキャンペーンページにアクセスする。同様に、結合パターン（Ａ＋Ｂ＋Ｅ）では、結合結果「ｈｔｔｐ：／／ｗｗｗ．ａａ．ｊｐ／ｃａｍｐａｉｇｎ／ｃｐｐ．ＸＸ？ｓ＝９８７６５４３２１９８７６５４３２１」が得られ、該文字データに従って、上記キャンペーンページとは異なるキャンペーンページにアクセスする。
【００３０】
また、結合パターン（Ａ＋Ｃ＋Ｄ）では、結合結果「ｈｔｔｐ：／／ｗｗｗ．ａａ．ｊｐ／ｔｒａｃｅ／ｃｐｐ．ＸＸ？ｓ＝１２３４５６７８９１２３４５６７８９」が得られ、該文字データに従ってトレーサビリティページにアクセスする。同様に、結合パターン（Ａ＋Ｃ＋Ｅ）では、結合結果「ｈｔｔｐ：／／ｗｗｗ．ａａ．ｊｐ／ｔｒａｃｅ／ｃｐｐ．ＸＸ？ｓ＝９８７６５４３２１９８７６５４３２１」が得られ、該文字データに従って、上記トレーサビリティページとは異なるトレーサビリティページにアクセスする。また、例えば、結合パターン（Ａ＋Ｃ＋Ｃ）は、結合しても無意味な文字列になってしまうので、結合エラーと判定され（実際には、リンク処理部６によりリンク不可となり）、「Ａ＋Ｃ」と「Ｃ」の情報が記憶部５に保存されることになる。
【００３１】
本発明では、上述したように、ＩＤ画像に少なくとも１つ以上の情報を埋め込み、ＩＤ画像を種別で分類し、どの種別のＩＤ画像であるかが判別できるように、種別情報も埋め込む。また、結合パターンを予め携帯電話もしくはアクセス先のＷＥＢサーバ上に保持しておく。そして、携帯電話でＩＤ画像を順次読み取り、文字データに変換し、結合パターンに従って、文字データを結合する。そして、結合した文字データに従ってＷＥＢサーバにアクセスする。
【００３２】
なお、ＷＥＢサーバ上で結合する場合には、携帯電話から変換した文字データをＷＥＢサーバに順次送信し、ＷＥＢサーバから結合結果を返信するようにしてもよい。携帯電話は、受信した結合結果に従って、所定のＷＥＢページにアクセスする。これにより、結合パターンに従って、ＩＤ画像を様々な組み合わせで結合することが可能になり、様々な商品の組み合わせに対応することができるようになる。
【００３３】
例えば、前述した例によると、商品Ａと、商品Ｂまたは商品Ｃのいずれか１つと、商品Ｄとの組み合わせにおいて、Ａ＋Ｂ＋Ｄの場合には、ＷＥＢページＡＢＤにアクセスさせ、Ａ＋Ｃ＋Ｄの場合には、ＷＥＢページＡＣＤにアクセスさせようとした場合、本発明では、ＩＤ画像Ａ、Ｂ、Ｃ、Ｄを作成し、商品ＡにはＩＤ画像Ａを添付し、商品ＢにはＩＤ画像Ｂを添付し、商品ＣにはＩＤ画像Ｃを添付し、商品ＤにはＩＤ画像Ｄを添付すればよい。また、図２に示すように、ＩＤ画像に埋め込む情報として、シリアルナンバを用いることで、購入したことを証明する購買証明を得ることも可能となる。以下では、本発明をより具体的に実施するための例について説明する。
【００３４】
Ｂ．第１実施形態
図４は、本発明の第１実施形態による携帯電話１の構成を示すブロック図である。図において、画像読み取り部２は、ＣＣＤ、光学系などからなる撮像手段であり、一般にはデジタルカメラのように映像を撮像する。本第１実施形態では、画像読み取り部２は、商品に添付されているＩＤ画像を読み取る。制御部３は、変換処理部４、データチェック処理部５、リンク処理部６、合成処理部７からなる。変換処理部４は、画像読み取り部２により読み取られたＩＤ画像を文字データに変換する。なお、ＩＤ画像、文字データの詳細については後述する。
【００３５】
データチェック処理部５は、変換処理部４により変換された文字データに基づいて、読み取ったＩＤ画像の正当性をチェックする。正当性がチェックされた文字データは、記憶部８に記憶される。リンク処理部６は、ＩＤ画像から変換された文字データと、過去に読み取られ、記憶部８に記憶されている文字データとを、予め決められている結合パターンに従って結合可能か否かを判別する。結合パターンは、結合すべきＩＤ画像の組み合わせを示すデータであり、本第１実施形態では、各ＩＤ画像に埋め込まれている。すなわち、ＩＤ画像を文字データに変換することで、当該ＩＤ画像とどのＩＤ画像とが結合可能であるかが判別できるようになっている。
【００３６】
合成処理部７は、リンク処理部６により結合可能と判別された文字データ同士を結合する。該結合された文字データは、記憶部８に記憶されてもよい。記憶部８は、読み取られたＩＤ画像から変換された文字データを順次記憶する。表示部９は、画像読み取り部２によりＩＤ画像を読み取る際に撮像されるＩＤ画像を表示したり、変換された文字データを表示したり、結合結果を表示したりする。無線通信部１０は、合成処理部７により結合された文字データに従って、無線通信によって基地局を介して、インターネット上のＷＥＢページにアクセスする。
【００３７】
次に、図５は、ＩＤ画像毎の結合パターン、ＩＤ画像の種類、埋め込む情報を示す概念図である。本第１実施形態では、一例として、５つのＩＤ画像を用いている。ＩＤ画像には、結合パターン、種類、情報が埋め込まれている。Ｎｏ．１のＩＤ画像には、結合パターンとして「Ａ＋Ｂ＋Ｃ」、種類「Ａ」、情報として、サイトアドレス「ｈｔｔｐ：／／ｗｗｗ．ａａ．ｊｐ／」、シリアルナンバ「１２３４５」が埋め込まれている。同様に、Ｎｏ．２のＩＤ画像には、結合パターンとして「Ａ＋Ｂ＋Ｃ」、種類「Ｂ」、情報として、サイトアドレス「ｈｔｔｐ：／／ｗｗｗ．ａａ．ｊｐ／」、シリアルナンバ「５６７８９」が埋め込まれている。また、Ｎｏ．３のＩＤ画像には、結合パターンとして「Ａ＋Ｂ＋Ｃ」、種類「Ｃ」、情報として、サイトアドレス「ｈｔｔｐ：／／ｗｗｗ．ａａ．ｊｐ／」、シリアルナンバ「０９８７６」が埋め込まれている。
【００３８】
また、Ｎｏ．４のＩＤ画像には、結合パターンとして「Ａ＋Ｂ＋Ｃ」、種類「Ａ」、情報として、サイトアドレス「ｈｔｔｐ：／／ｗｗｗ．ｂｂ．ｊｐ／」、シリアルナンバ「６６２５３」が埋め込まれている。そして、Ｎｏ．５のＩＤ画像には、結合パターンとして「Ａ＋Ａ＋Ａ」、種類「Ａ」、情報として、サイトアドレス「ｈｔｔｐ：／／ｗｗｗ．ｂｂ．ｊｐ／」、シリアルナンバ「５５５５３」が埋め込まれている。
【００３９】
このように、ＩＤ画像にそれ自体の種類、結合パターンを埋め込むことにより、ＩＤ画像を文字データに変換することで、そのＩＤ画像から得られた情報（文字データ）と、どのＩＤ画像の情報（文字データ）とを結合すればよいかを判別することが可能となっている。
【００４０】
図６（ａ）、（ｂ）は、上記ＩＤ画像の結合可能例（結合不可例）を示す概念図である。例えば、Ｎｏ．１、Ｎｏ．２、Ｎｏ．３のＩＤ画像の場合には、それぞれの種類が「Ａ」、「Ｂ」、「Ｃ」であるので、結合パターン「Ａ＋Ｂ＋Ｃ」に合致する。したがって、この場合、Ｎｏ．１、Ｎｏ．２、Ｎｏ．３のＩＤ画像が結合可能であると判定できるので、それぞれのＩＤ画像から変換した文字データを結合する。なお、本第１実施形態では、結合時にどのように埋め込まれた情報を結合するかを決める所定のルール（結合規則）を設けている。
【００４１】
本第１実施形態でのルールでは、最初のＩＤ画像に対しては、そのＩＤ画像に埋め込まれているサイトアドレスとシリアルナンバを用い、そのサイトアドレスに「ｉｎｄｅｘ．ｐｈｐ？ｓ＝」を付加した後、２番目以降のＩＤ画像に対しては、それぞれのＩＤ画像に埋め込まれているシリアルナンバのみを用いるようになっている。なお、「ｉｎｄｅｘ．ｐｈｐ」は、サイトのファイルを示し、「？ｓ＝」は、シリアルナンバをパラメータとしてアドレスに付与するための文字列である。
【００４２】
したがって、Ｎｏ．１、Ｎｏ．２、Ｎｏ．３のＩＤ画像の場合には、Ｎｏ．１のＩＤ画像に埋め込まれているサイトアドレス「ｈｔｔｐ：／／ｗｗｗ．ａａ．ｊｐ／」＋「ｉｎｄｅｘ．ｐｈｐ？ｓ＝」＋Ｎｏ．１のシリアルナンバ「１２３４５」＋Ｎｏ．２のシリアルナンバ「５６７８９」＋Ｎｏ．３のシリアルナンバ「０９８７６」となり、最終的な結合結果は、図６（ａ）に示するように、「ｈｔｔｐ：／／ｗｗｗ．ａａ．ｊｐ／ｉｎｄｅｘ．ｐｈｐ？ｓ＝１２３４５  ５６７８９  ０９８７６」となる。
【００４３】
同様に、Ｎｏ．４、Ｎｏ．２、Ｎｏ．３のＩＤ画像の場合には、それぞれの種類が「Ａ」、「Ｂ」、「Ｃ」であるので、結合パターン「Ａ＋Ｂ＋Ｃ」に合致するので、結合可能であることが分かる。したがって、この場合には、Ｎｏ．４のＩＤ画像に埋め込まれているサイトアドレス「ｈｔｔｐ：／／ｗｗｗ．ｂｂ．ｊｐ／」＋「ｉｎｄｅｘ．ｐｈｐ？ｓ＝」＋Ｎｏ．４のシリアルナンバ「６６２５３」＋Ｎｏ．２のシリアルナンバ「５６７８９」＋Ｎｏ．３のシリアルナンバ「０９８７６」となり、最終的な結合結果は、図６（ａ）に示するように、「ｈｔｔｐ：／／ｗｗｗ．ｂｂ．ｊｐ／ｉｎｄｅｘ．ｐｈｐ？ｓ＝６６２５３  ５６７８９  ０９８７６」となる。
【００４４】
これに対して、図６（ｂ）に示す、Ｎｏ．１、Ｎｏ．２、Ｎｏ．４のＩＤ画像の場合には、それぞれの種類が「Ａ」、「Ｂ」、「Ａ」であるので、種類「Ｃ」のＩＤ画像がない。したがって、Ｎｏ．１、Ｎｏ．２、Ｎｏ．４のＩＤ画像では、結合不可となる。また、Ｎｏ．１、Ｎｏ．４、Ｎｏ．５のＩＤ画像の場合には、Ｎｏ．５の結合パターンが「Ａ＋Ａ＋Ａ」で他と結合パターンが異なる。したがって、この場合も結合不可となる。
【００４５】
次に、上述した本第１実施形態の動作について説明する。
ここで、図７は、本第１実施形態による携帯電話の動作を説明するためのフローチャートである。まず、画像読み取り部２によりＩＤ画像を読み取り、変換処理部４により文字データに変換する（Ｓ１０）。次に、データチェック処理部５により、正しい読み取りデータであるか否かを判定し（Ｓ１１）、正しくない読み取りデータであった場合には、当該処理を終了する。
【００４６】
一方、正しい読み取りデータであった場合には、読み取った文字データ、すなわち情報（結合パターン、種類、サイトアドレス、シリアルナンバ）を記憶部８に保存する（Ｓ１２）。次に、リンク処理部６により、結合パターンに従って、読み取った文字データに結合可能な読み取り情報が記憶部８に保存されているか否かを判定する（Ｓ１３）。
【００４７】
そして、結合可能な読み取り情報が保存されていなければ、まだ、読み取るべきＩＤ画像があるというユーザ指示があるか否かを判定する（Ｓ１６）。そして、ユーザにより読み取るべきＩＤ画像がないという指示があった場合には、当該処理を終了する。一方、ユーザによりまだ読み取るべきＩＤ画像があるという指示があった場合には、ステップＳ１０に戻り、次のＩＤ画像を読み取る。このように、結合不可のＩＤ画像が読み取られた場合には、ＩＤ画像から読み取った情報を記憶部８に順次記憶していく。
【００４８】
一方、ステップＳ１３において、読み取った文字データに結合可能な読み取り情報が記憶部８に保存されている場合には、合成処理部７により、結合可能な読み取り情報と結合する（Ｓ１４）。次に、結合すべき情報に対応するＩＤ画像を全て読み取ったか否かを判定し（Ｓ１５）、まだ読み取っていないＩＤ画像がある場合には、まだ、読み取るべきＩＤ画像があるというユーザ指示があるか否かを判定し（Ｓ１６）、ユーザにより読み取るべきＩＤ画像がないという指示があった場合には、当該処理を終了する一方、ユーザによりまだ読み取るべきＩＤ画像があるという指示があった場合には、ステップＳ１０に戻り、次のＩＤ画像を読み取る。
【００４９】
このようにして、結合可能なＩＤ画像を読み取った場合には、読み取る度に順次結合していく。図５に示す例で説明すると、例えば、最初にＮｏ．１のＩＤ画像を読み取ると、該ＩＤ画像の情報として、結合パターン「Ａ＋Ｂ＋Ｃ」、種類「Ａ」、サイトアドレス「ｈｔｔｐ：／／ｗｗｗ．ａａ．ｊｐ／」、シリアルナンバ「１２３４５」が保存される。次に、例えば、Ｎｏ．２のＩＤ画像を読み取ると、該ＩＤ画像の情報として、結合パターン「Ａ＋Ｂ＋Ｃ」、種類「Ｂ」、サイトアドレス「ｈｔｔｐ：／／ｗｗｗ．ａａ．ｊｐ／」、シリアルナンバ「５６７８９」が保存される。
【００５０】
そして、Ｎｏ．２のＩＤ画像の結合パターンが「Ａ＋Ｂ＋Ｃ」であるので、先に読み取られたＮｏ．１のＩＤ画像の結合パターン「Ａ＋Ｂ＋Ｃ」に一致し、かつ種類「Ａ」であるので、結合可能であると判定され、サイトアドレス「ｈｔｔｐ：／／ｗｗｗ．ａａ．ｊｐ／」＋「ｉｎｄｅｘ．ｐｈｐ？ｓ＝」＋Ｎｏ．１のシリアルナンバ「１２３４５」＋Ｎｏ．２のシリアルナンバ「５６７８９」となり、この段階での結合結果は、「ｈｔｔｐ：／／ｗｗｗ．ａａ．ｊｐ／ｉｎｄｅｘ．ｐｈｐ？ｓ＝１２３４５  ５６７８９」となる。
【００５１】
同様にして、次に、Ｎｏ．３のＩＤ画像を読み取ると、該ＩＤ画像の情報として、結合パターン「Ａ＋Ｂ＋Ｃ」、種類「Ｃ」、サイトアドレス「ｈｔｔｐ：／／ｗｗｗ．ａａ．ｊｐ／」、シリアルナンバ「０９８７６」が保存される。
【００５２】
そして、上述したＮｏ．１とＮｏ．２の結合結果の結合パターンが「Ａ＋Ｂ＋Ｃ」であり、今回のＮｏ．３のＩＤ画像の種類が「Ｃ」であるので、結合可能であると判定され、最終的な結合結果として、図６（ａ）に示すように、「ｈｔｔｐ：／／ｗｗｗ．ａａ．ｊｐ／ｉｎｄｅｘ．ｐｈｐ？ｓ＝１２３４５  ５６７８９  ０９８７６」が得られる。
【００５３】
そして、結合すべき情報に対応するＩＤ画像を全て読み取った場合には、それまでに結合した情報を表示部９に表示し（Ｓ１７）、結合した情報がＷＥＢサーバに送信可能であるか（結合した情報がＷＥＢサーバのサイトアドレスであるか）否かを判定し（Ｓ１８）、ＷＥＢサーバに送信不可な情報であれば、当該処理を終了する。
【００５４】
一方、ＷＥＢサーバに送信可能であれば、無線通信部１０により、結合した情報（上述した例では、「ｈｔｔｐ：／／ｗｗｗ．ａａ．ｊｐ／ｉｎｄｅｘ．ｐｈｐ？ｓ＝１２３４５  ５６７８９  ０９８７６」）をＷＥＢサーバに送信する（Ｓ１９）。そして、ＷＥＢサーバから送信されてくる情報（ＷＥＢページ）を受信して表示部９に表示し（Ｓ２０）、当該処理を終了する。
【００５５】
なお、上述した第１実施形態では、ＩＤ画像に結合パターンが埋め込まれているが、これに限らず、予め携帯電話１に保持されていても、適宜、ネットワーク上のサーバなどからダウンロードされたものを保持するようにしてもよい。
【００５６】
Ｃ．第２実施形態
次に、本発明の第２実施形態について説明する。本第２実施形態では、ＩＤ画像に埋め込まれた情報をサーバ上で結合し、該結合された情報を携帯電話１で受信し、受信した結合された情報に従ってＷＥＢページにアクセスすることを特徴とする。なお、携帯電話１の構成は図４と同様であるので説明を省略する。
【００５７】
本第２実施形態では、ＩＤ画像に埋め込まれた情報の種別を示す種類と情報とを埋め込む。ここで、図８は、第２実施形態において、種類と情報種別との関係を示す概念図である。種類「Ａ」はサーバ情報、種類「Ｂ」はサイト情報、種類「Ｃ」はシリアルナンバである。
【００５８】
また、図９は、本第２実施形態で用いたＩＤ画像と埋め込まれた情報との一例を示す概念図である。Ｎｏ．１のＩＤ画像には、種類「Ａ」と情報としてサーバ情報「ｈｔｔｐ：／／ｗｗｗ．ａａ，ｊｐ／」とが埋め込まれている。同様に、Ｎｏ．２のＩＤ画像には、種類「Ｂ」と情報としてサイト情報「ｃａｍｐａｉｇｎ」とが埋め込まれ、Ｎｏ．３のＩＤ画像には、種類「Ｂ」と情報としてサイト情報「Ｔｒａｃｅ」とが埋め込まれ、Ｎｏ．４のＩＤ画像には、種類「Ｃ」と情報としてシリアルナンバ「１２３４５６７８９１２３４５６７８９」とが埋め込まれ、Ｎｏ．５のＩＤ画像には、種類「Ｃ」と情報としてシリアルナンバ「９８７６５４３２１９８７６５４３２１」とが埋め込まれている。
【００５９】
図１０は、サーバに保持される結合パターンと、該結合パターンに従って結合された結合結果を示す概念図である。サーバには、図示するように、どのような種別同士が結合可能であるかを示す結合パターンとして、「Ａ＋Ｂ」、「Ａ＋Ｂ＋Ｃ」、「Ａ＋Ｂ＋Ｂ＋Ｄ」、「Ａ＋Ｃ」、「Ａ＋Ｂ＋Ｂ＋Ｃ＋Ｃ」が保持されている。携帯電話１は、読み取ったＩＤ画像を文字データ（種類、情報）に変換し、その都度、あるいはまとめてサーバに送信する。サーバでは、図１０に示す結合パターンに従って、結合可能な情報があるか判定し、結合可能な情報を結合する。
【００６０】
例えば、Ｎｏ．１のＩＤ画像の文字データ（種類、情報）とＮｏ．３のＩＤ画像の文字データ（種類、情報）が送信されてくると、サーバは、Ｎｏ．１のＩＤ画像の種類が「Ａ」で、Ｎｏ．２のＩＤ画像の種類が「Ｂ」であるので、結合パターン「Ａ＋Ｂ」に一致するので結合可能であると判定する。そして、Ｎｏ．１のＩＤ画像の情報とＮｏ．３のＩＤ画像の情報とを結合し、図示する「ｈｔｔｐ：／／ｗｗｗ．ａａ．ｃｏ．ｊｐ／Ｔｒａｃｅ」とし、携帯電話１に送信する。
【００６１】
携帯電話では、上記結合結果「ｈｔｔｐ：／／ｗｗｗ．ａａ．ｃｏ．ｊｐ／Ｔｒａｃｅ」を受信すると、結合された情報に従ってＷＥＢページにアクセスする。その他、図１０に示すように、「Ｎｏ．１＋Ｎｏ．２＋Ｎｏ．４」についても、「Ｎｏ．１＋Ｎｏ．２＋Ｎｏ．３＋Ｎｏ．５」、「Ｎｏ．１＋Ｎｏ．４」、「Ｎｏ．１＋Ｎｏ．２＋Ｎｏ．３＋Ｎｏ．４＋Ｎｏ．５」についても、同様に行うことができる。結合パターンにない、例えば、「Ａ＋Ｂ＋Ｃ＋Ｃ」や、「Ａ」のみ、あるいは「Ａ＋Ｂ＋Ｂ＋Ｂ＋Ｃ」といった組み合わせは結合できない。
【００６２】
また、第１実施形態でも述べたが、結合時にどのように埋め込まれた情報を結合するか、また、結合する際に必要な情報を付け足すなどを決める所定のルール（結合規則）を設けてもよい。例えば、図１０に示す例において、「Ａ＋Ｂ」の際には、結合結果としてサイトアドレスを示すため、Ｎｏ．１のＩＤ画像とＮｏ．３のＩＤ画像と結合した結果の最後に、「／（スラッシュ）」を追加している。また、「Ａ＋Ｂ＋Ｂ＋Ｃ」の場合には、「／（スラッシュ）」の他にサイトのファイルを示す「ｉｎｄｅｘ．ｐｈｐ」や、シリアルナンバをパラメータとしてアドレスに付与するための「？ｓ＝」などの文字列を追加している。
【００６３】
本第１実施形態でのルールでは、最初のＩＤ画像に対しては、そのＩＤ画像に埋め込まれているサイトアドレスとシリアルナンバを用い、そのサイトアドレスに「ｉｎｄｅｘ．ｐｈｐ？ｓ＝」を付加した後、２番目以降のＩＤ画像に対しては、それぞれのＩＤ画像に埋め込まれているシリアルナンバのみを用いるようになっている。
【００６４】
上述した実施形態によれば、複数のＩＤ画像を一括して読み取ることで、複数の商品の多岐にわたる組み合わせによるキャンペーン応募であっても対応することができる。また、消費者の手間を軽減することができる。また、商品毎に異なるシリアルナンバなど、個々の商品に関する情報も埋め込むことができるので、購買証明を得ることができる。また、ＩＤ画像の組み合わせに応じて、異なるサイトにアクセスさせることができ、提示可能な情報の種類を増やすことができる。また、サイト毎に携帯端末のユーザの動向を調査することができる。
【００６５】
また、上述した実施形態によれば、ＩＤ画像から得られる文字データを保存するようにしたので、全てのＩＤ画像が揃っていなくても、その都度、ＩＤ画像を読み取り、得られた文字データを保存しておけばよく、消費者の利便性を向上させることができる。また、結合可能なＩＤ画像の中から、消費者が結合する文字データを選択できるようにすることで、ユーザが所望する情報を提示することが可能になる。
【００６６】
例えば、全ての商品を同時に購入できない場合であっても、一時保存し、次回購入時にキャンペーンに参加することができる。また、携帯電話でＩＤ画像を読み取って文字データを保存しておくことにより、常に携帯でき、いつでも追加登録することが可能になる。また、通年で実施するようなキャンペーンであっても、文字データを保存しておくことで、キャンペーン期間中であれば、商品購入の時期に空きがあっても既に購入した商品のＩＤ画像が無駄にならない。
【００６７】
Ｄ．応用例
本発明は、複数の商品の多岐にわたる組み合わせによるキャンペーン応募に適用可能であるが、それ以外も様々なビジネスに適用可能である。以下に、適用可能なビジネスシーンを説明する。
【００６８】
（１）ＷＥＢアクセスの振り分け
購入した商品種類の組み合わせによって取得できる情報を変更することができるので、購買に即した情報を提供することができる。例えば購入した化粧品の組み合わせによって、異なるメイクアップアドバイスが提示されるＷＥＢページへ導入することができる。または、食材の組み合わせに応じてアクセスするＷＥＢサイトを変更することで、例えば、「ジャガイモ＋肉」であれば、肉じゃがレシピサイトへアクセスさせ、「ジャガイモ＋マヨネーズ」であれば、ポテトサラダレシピサイトへアクセスさせることができる。
【００６９】
（２）購買動向調査
商品に分割されたユニークなＩＤ画像を貼り付けることにより、携帯電話１が送信する組み合わせ情報をサーバで解析し、例えば、いつ、何を、どの組み合わせで購入しているかなど、複数の商品の組み合わせによる購買動向を調査することができる。また、同時購入商品を把握することで、消費者の商品の購買動向として商品マーケティング調査に利用することができる。
【００７０】
例えば、セット販売や組み合わせて利用する商品を、消費者がどの組み合わせで購入したかを把握することができる。これを利用して購買動向を調査することが可能となる。例えば、消費者毎にどのような商品を組み合わせて購入したかを把握することができるので、消費者をデータベースで管理し、消費者毎に商品を好きなように組み合わせて購入させるキャンペーンなどを行うことができる。
【００７１】
（３）イベント利用者
指定されたチェックポイントでＩＤ画像を読み取らせ、読み取らせたＩＤ画像に応じて次の指示を与えるポイントラリーなどで利用することできる。
【００７２】
（４）物流ピッキングへの利用
商品発送の際のピッキング作業において、正しい組み合わせでピッキングが行われているかを、ピッキングリストのＩＤ画像と作業者のＩＤ画像と商品毎のＩＤ画像の結合結果とＷＥＢサーバなどへ送信して確認する。
【００７３】
なお上述の携帯電話やＷｅｂサーバは内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００７４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００７５】
【図１】本発明によるＩＤ画像の構成例を示す概念図である。
【図２】ＩＤ画像に埋め込まれた情報の結合の組み合わせを示す概念図である。
【図３】結合パターン毎に得られる文字データとその文字データに従って実行される動作とを示す概念図である。
【図４】本発明の第１実施形態による携帯電話１の構成を示すブロック図である。
【図５】ＩＤ画像毎の結合パターン、ＩＤ画像の種類、埋め込む情報を示す概念図である。
【図６】ＩＤ画像の結合可能例（結合不可例）を示す概念図である。
【図７】本第１実施形態による携帯電話の動作を説明するためのフローチャートである。
【図８】第２実施形態において、種類と情報種別との関係を示す概念図である。
【図９】ＩＤ画像と埋め込まれた情報との一例を示す概念図である。
【図１０】サーバに保持される結合パターンと、該結合パターンに従って結合された結合結果を示す概念図である。
【符号の説明】
【００７６】
１  携帯電話
２  画像読み取り部（読取手段）
３  制御部
４  変換処理部（変換手段）
５  データチェック部
６  リンク処理部
７  合成処理部（結合手段）
８  記憶部（文字情報記憶手段、結合パターン記憶手段）
９  表示部
１０  無線通信部（通信手段）
【図１】
2007272552.tif 000003
【図２】
2007272552.tif 000004
【図３】
2007272552.tif 000005
【図４】
2007272552.tif 000006
【図５】
2007272552.tif 000007
【図６】
2007272552.tif 000008
【図７】
2007272552.tif 000009
【図８】
2007272552.tif 000010
【図９】
2007272552.tif 000011
【図１０】
2007272552.tif 000012